【手続補正書】
【提出日】平成28年7月28日(2016.7.28)
【手続補正１】
【補正対象書類名】特許請求の範囲
【補正対象項目名】全文
【補正方法】変更
【補正の内容】
【特許請求の範囲】
【請求項１】
複数の単位セルと、演算回路と、を有し、
前記複数の単位セルの各々は、
光電変換部と、
前記光電変換部に蓄積された電荷を転送する転送スイッチと、
前記転送スイッチがオンすることによって転送された電荷に基づく信号を出力する出力部とを有し、
前記出力部は、電荷蓄積期間に含まれる複数の副蓄積期間のそれぞれで得られた電荷に各々が基づく複数の信号を出力し、
前記演算回路が、前記複数の信号の信号レベルに基づいて、前記電荷蓄積期間の長さを決定することを特徴とする焦点検出装置。
【請求項２】
前記焦点検出装置はさらに、各々が前記複数の単位セルの各々に対応して設けられた複数の積算回路を有し、
前記複数の積算回路の各々は、前記出力部から出力された前記複数の信号を積算した積算信号を生成し、
前記演算回路が、前記複数の積算回路が生成した複数の前記積算信号の信号レベルに基づいて、前記電荷蓄積期間の終了タイミングを決定することを特徴とする請求項１に記載の焦点検出装置。
【請求項３】
前記演算回路が、前記複数の積算回路の各々が生成する前記積算信号のうちの最大値に基づいて、前記電荷蓄積期間の終了タイミングを決定することを特徴とする請求項２に記載の焦点検出装置。
【請求項４】
前記演算回路が、前記複数の積算回路の各々が生成する前記積算信号のうちの最小値と最大値に基づいて、前記電荷蓄積期間の終了タイミングを決定することを特徴とする請求項２または３に記載の焦点検出装置。
【請求項５】
前記演算回路が、前記積算信号の振幅が第１の信号レベルに達したタイミングと、前記積算信号の振幅が第２の信号レベルに達したタイミングとから、前記電荷蓄積期間の終了タイミングを決定することを特徴とする請求項２に記載の焦点検出装置。
【請求項６】
前記複数の副蓄積期間のうちの第１の副蓄積期間に蓄積した前記電荷に基づいて前記出力部が出力する信号の信号レベルに基づいて、前記演算回路が、前記複数の副蓄積期間のうち、前記第１の副蓄積期間の後に行う前記副蓄積期間の終了タイミングを決定することを特徴とする請求項１〜５のいずれかに記載の焦点検出装置。
【請求項７】
複数の単位セルと、演算回路とを有し、
前記複数の単位セルの各々は、
副蓄積期間に入射光に基づく電荷を蓄積する光電変換部と、
前記光電変換部に蓄積された電荷を転送する転送スイッチと、
前記転送スイッチがオンすることによって転送された電荷に基づく信号を出力する出力部とを有し、
前記演算回路が、前記副蓄積期間の後に行う、前記光電変換部が前記電荷を蓄積する電荷蓄積期間の長さを、前記複数の単位セルの各々の前記出力部が出力する前記信号の信号レベルに基づいて決定することを特徴とする焦点検出装置。
【請求項８】
前記複数の単位セルの各々はノイズ信号をさらに出力し、
前記焦点検出装置が、前記電荷蓄積期間に生成した前記電荷に基づく信号と前記ノイズ信号との差の信号を生成するＣＤＳ回路をさらに有することを特徴とする請求項１〜７のいずれかに記載の焦点検出装置。
【請求項９】
複数の単位セルと、演算回路とを有し、
前記複数の単位セルの各々は、
副蓄積期間に入射光に基づく電荷を蓄積する光電変換部と、
前記光電変換部に蓄積された電荷を転送する転送スイッチと、
前記転送スイッチがオンすることによって転送された電荷に基づく信号を出力する出力部とを有し、
前記出力部は、電荷蓄積期間に含まれる複数の副蓄積期間のそれぞれで得られた電荷を積算した電荷に基づく信号を出力し、
前記演算回路が、前記光電変換部が前記電荷を蓄積する電荷蓄積期間の長さを、前記複数の単位セルの各々の前記出力部が出力する前記信号の信号レベルに基づいて決定することを特徴とする焦点検出装置。
【請求項１０】
請求項１〜９のいずれかに記載の焦点検出装置と、
前記焦点検出装置が出力する信号を処理することで焦点検出を行う演算処理部と、を有することを特徴とする光電変換システム。
【請求項１１】
前記光電変換システムは、さらに前記焦点検出装置に入射光を導く光学系と、駆動部と、を有し、
前記演算処理部の焦点検出の結果に基づいて、前記駆動部が前記光学系を駆動することを特徴とする請求項１０に記載の光電変換システム。
【請求項１２】
複数の単位セルを有し、
前記複数の単位セルの各々は、
光電変換部と、
前記光電変換部に蓄積された電荷を転送する転送スイッチと、
前記転送スイッチがオンすることによって転送された電荷に基づく信号を出力する出力部とを有する焦点検出装置の駆動方法であって、
前記出力部は、電荷蓄積期間に含まれる複数の副蓄積期間のそれぞれで得られた電荷に各々が基づく複数の信号を出力し、
前記複数の信号の信号レベルに基づいて、前記光電変換部が前記電荷を蓄積する前記電荷蓄積期間の終了タイミングを決定することを特徴とする焦点検出装置の駆動方法。
【請求項１３】
前記焦点検出装置は、
同一の前記単位セルが前記副蓄積期間ごとに出力する前記信号同士を積算した積算信号を、前記複数の単位セルのそれぞれについて生成することによって複数の積算信号を生成し、
前記複数の積算信号の信号レベルに基づいて、前記光電変換部が前記電荷を蓄積する前記電荷蓄積期間の長さを決定することを特徴とする請求項１２に記載の焦点検出装置の駆動方法。
【請求項１４】
前記複数の積算信号のうち、最大値の前記積算信号に基づいて、前記電荷蓄積期間の終了タイミングを決定することを特徴とする請求項１３に記載の焦点検出装置の駆動方法。
【請求項１５】
前記複数の積算信号のうち、最小値と最大値の前記積算信号に基づいて、前記電荷蓄積期間の終了タイミングを決定することを特徴とする請求項１３または１４に記載の焦点検出装置の駆動方法。
【請求項１６】
前記積算信号の振幅が第１の信号レベルに達したタイミングと、前記積算信号の振幅が第２の信号レベルに達したタイミングとから、前記電荷蓄積期間の終了タイミングを決定することを特徴とする請求項１３に記載の焦点検出装置の駆動方法。
【請求項１７】
前記複数の副蓄積期間のうちの第１の副蓄積期間に蓄積した前記電荷に基づいて前記単位セルが出力する信号の信号レベルに基づいて、前記複数の副蓄積期間のうち、前記第１の副蓄積期間の後に行う前記副蓄積期間の終了タイミングを決定することを特徴とする請求項１２〜１６のいずれかに記載の焦点検出装置の駆動方法。
【請求項１８】
複数の単位セルを有し、
前記複数の単位セルの各々は、
副蓄積期間に入射光に基づく電荷を蓄積する光電変換部と、
前記光電変換部に蓄積された電荷を転送する転送スイッチと、
前記転送スイッチがオンすることによって転送された電荷に基づく信号を出力する出力部とを有する焦点検出装置の駆動方法であって、
前記副蓄積期間の後に行う、前記光電変換部が前記電荷を蓄積する電荷蓄積期間の長さを、前記複数の単位セルの各々の前記信号の信号レベルに基づいて決定することを特徴とする焦点検出装置の駆動方法。
【請求項１９】
光電変換部と、前記光電変換部に蓄積された電荷を転送する転送スイッチと、前記電荷に基づく信号を出力する出力部と、をそれぞれが含む複数の画素を備え、
前記転送スイッチが複数回オンすることによって得られる複数の信号に基づいて、電荷蓄積期間の長さを制御することを特徴とする光電変換装置。
【請求項２０】
前記複数の信号を積算する積算部を備え、
前記積算部において積算された信号に基づいて、前記電荷蓄積期間の長さを制御することを特徴とする請求項１９に記載の光電変換装置。